(57)【要約】【課題】ＤＬＮＡに対応及び非対応の楽曲処理装置の製造合理化に寄与するデータ通信モジュール５０を提供することである。【解決手段】データ通信モジュール５０は、プリント回路基板５９上に、ＣＰＵ５１、イーサネット（登録商標）インターフェース５２、無線ＬＡＮインターフェース５３、デジタル／アナログ変換器５５を装備し、プリント回路基板５９はオーディオ装置７５の内蔵プリント回路基板７６に組付け自在になっている。ＣＰＵ５１はデコーダ５８をプログラムで実装する。マイコン７７は、ユーザが再生指示した場合には、コマンドをＣＰＵ５１へ送り、ＣＰＵ５１は、楽曲サーバとしてのデスクトップパソコン２５から該当楽曲ファイルを受信する。該楽曲ファイルは、デコーダ５８によりデコードされ、デジタル／アナログ変換器５５によりアナログ信号へ変換されて、アナログオーディオ信号出力端子６６へ出力される。【選択図】図２
2008245221.tif 000002
【特許請求の範囲】
【請求項１】
ネットワークへ接続して該ネットワーク内のコンテンツサーバとの間で所定のデータを送受するネットワーク通信部と、
前記ネットワークを介して前記コンテンツサーバから受信したコンテンツデータをデコードするデコーダと、
前記デコーダが出力するデジタル信号をアナログ信号へ変換するデジタル／アナログ変換部と、
前記デジタル／アナログ変換部の出力を外部へ出すアナログ信号出力端子と、
外部の所定の素子からの制御信号が供給される制御信号端子と、
前記制御信号端子に供給された制御信号に基づき前記アナログ信号出力端子への信号出力に係るデータ処理を実行する制御部と、
を備えることを特徴とするデータ通信モジュール。
【請求項２】
前記アナログ信号出力端子の出力信号を処理するコンテンツ処理装置に内蔵されている基板に組み付けられることを特徴とする請求項１記載のデータ通信モジュール。
【請求項３】
前記所定の素子とは前記基板上の素子であることを特徴とする請求項２記載のデータ通信モジュール。
【請求項４】
前記基板上の素子とはマイコンであることを特徴とする請求項３記載のデータ通信モジュール。
【請求項５】
前記制御信号端子は、複数、存在し、
前記制御部は、前記外部の所定の素子との制御信号を含む授受信号の種類に対応して、該素子との信号授受の制御信号端子を切り替えることを特徴とする請求項１〜４のいずれかに記載のデータ通信モジュール。
【請求項６】
前記アナログ信号出力端子の出力信号を処理するコンテンツ処理装置に、その筐体外部から着脱自在に装着されることを特徴とする請求項１記載のデータ通信モジュール。
【請求項７】
ＵＳＢ端子と、
一方において前記ＵＳＢ端子へ接続され、他方において前記ネットワーク通信部と前記制御部としてのＣＰＵとの間のバスへ接続されているＵＳＢ用インターフェースと、
を備えることを特徴とする請求項１〜６のいずれかに記載のデータ通信モジュール。
【請求項８】
前記制御部としてのＣＰＵは、前記ネットワーク通信部を介するデータ送受と前記ＵＳＢ端子を介するデータ送受とを並列処理可能となっていることを特徴とする請求項７記載のデータ通信モジュール。
【請求項９】
前記デジタル／アナログ変換部の入力を外部へ出すデジタル信号出力端子を備えることを特徴とする請求項１〜８のいずれかに記載のデータ通信モジュール。
【発明の詳細な説明】
【技術分野】
【０００１】
本発明は、例えばＤＬＮＡ（Digital Living Network Alliance）等に対応する、ＩＰネットワーク通信機能を備えたデータ通信モジュールに関するものである。
【背景技術】
【０００２】
特許文献１は、ブルートゥース（Bluetooth）等に対応する無線ネットワークモジュールについて開示する。該モジュールは、ＵＡＲＴ及びＵＳＢの処理を行うＩＣを基板に組み付けるとともに、該ＩＣの各脚を基板端縁の端子へ基板上の印刷配線により接続している（特許文献１の図１及び図２）。
【０００３】
特許文献２は、ユーザの携帯型デジタルオーディオプレーヤへ楽曲を転送する際に、インターネット上のサーバからパーソナルコンピュータを介して該楽曲の付加情報をオーディオプレーヤへ楽曲と共に転送する情報処理装置を開示する（特許文献１の図１）。該情報処理装置によれば、楽曲及び付加情報の転送処理のために、転送モジュールが使用され、該転送モジュールは、さらに、抽出モジュール及び暗号モジュールを含んでいる。
【０００４】
特許文献３は、オーディオ信号を処理するオーディオシステムを複数のモジュールで構成するとともに、それらモジュールをネットワークで接続することを開示する（特許文献３の図１）。
【特許文献１】特開２００５−３３３２２号公報
【特許文献２】特開２００４−１１７６１８号公報
【特許文献３】特開２００７−６８０２１号公報
【発明の開示】
【発明が解決しようとする課題】
【０００５】
ＤＬＮＡに対応するコンテンツ処理装置におけるＣＰＵは、Ｌｉｎｕｘ等のＯＳを実装する必要があり、ＤＬＮＡに対応しないコンテンツ処理装置におけるＣＰＵに比して、高性能のものを採用する必要がある。ＤＬＮＡに対応するコンテンツ処理装置から、特許文献１のネットワークモジュールを分離化しても、デコード等の高機能の処理が残るため、該コンテンツ処理装置本体からＣＰＵを省略できないばかりか、該本体のＣＰＵは高性能のものとする必要がある。すなわち、ネットワーク処理のモジュール化は、高性能ＣＰＵ重複の問題があり、コンテンツ処理装置製造において十分な合理化をもたらさない。
【０００６】
従来のコンテンツ処理装置におけるモジュール化は、特許文献２，３のように、装置全体の素子から一部の素子を抽出して、それら抽出素子をモジュール化の対象としている。例えば、ＣＰＵをモジュールの方へ組み込むと、本体の方はＣＰＵが省略されことになる。しかし、ＤＬＮＡに対応しないコンテンツ処理装置は、その他のコンテンツ処理上、ＣＰＵを省略する訳にはいかないので、ＤＬＮＡに対応するコンテンツ処理装置の構成からＣＰＵ付きモジュールを取り去った構成を、ＤＬＮＡに対応しないコンテンツ処理装置に採用することはできず、十分な製造合理化を果たすことができない。
【０００７】
□  本発明の目的は、例えばＤＬＮＡに対応及び非対応というように、コンテンツ処理装置を２系列、製造するような場合に対して、製造全体としての合理化に大きく寄与することができるデータ通信モジュールを提供することである。
【課題を解決するための手段】
【０００８】
本発明によれば、データ通信モジュールを組み込むコンテンツ処理装置側のＣＰＵの有無や性能の高低に関係なく、ネットワーク上の例えばＤＬＮＡ等に対応のコンテンツサーバからのコンテンツデータをデコードするデコーダを、ネットワーク通信部と共にデータ通信モジュールに含める。
【０００９】
本発明のデータ通信モジュールは
ネットワークへ接続して該ネットワーク内のコンテンツサーバとの間で所定のデータを送受するネットワーク通信部と、
前記ネットワークを介して前記コンテンツサーバから受信したコンテンツデータをデコードするデコーダと、
前記デコーダが出力するデジタル信号をアナログ信号へ変換するデジタル／アナログ変換部と、
前記デジタル／アナログ変換部の出力を外部へ出すアナログ信号出力端子と、
外部の所定の素子からの制御信号が供給される制御信号端子と、
前記制御信号端子に供給された制御信号に基づき前記アナログ信号出力端子への信号出力に係るデータ処理を実行する制御部と、
を備えている。
【００１０】
本発明のデータ通信モジュールは、例えば、前記アナログ信号出力端子の出力信号を処理するコンテンツ処理装置に内蔵されている基板に組み付けられるか、該コンテンツ処理装置に、その筐体外部から着脱自在に装着される。
【００１１】
典型的には、前記所定の素子とは前記基板上の素子、さらに具体的には、マイコンである。好ましくは、前記制御信号端子は、複数、存在し、前記制御部は、前記外部の所定の素子との制御信号を含む授受信号の種類に対応して、該素子との信号授受の制御信号端子を切替える。
【００１２】
好ましくは、データ通信モジュールは、さらに、ＵＳＢ端子と、一方において前記ＵＳＢ端子へ接続され、他方において前記ネットワーク通信部と前記制御部としてのＣＰＵとの間のバスへ接続されているＵＳＢ用インターフェースとを備える。また、前記制御部としてのＣＰＵは、前記ネットワーク通信部を介するデータ送受と前記ＵＳＢ端子を介するデータ送受とを並列処理可能となっている。データ通信モジュールは、前記デジタル／アナログ変換部の入力を外部へ出すデジタル信号出力端子を備えることができる。
【発明の効果】
【００１３】
ネットワーク対応及び非対応の２系列を製造するコンテンツ処理装置への本発明の適用では、ネットワーク非対応のコンテンツ処理装置（プアなＣＰＵを装備するコンテンツ処理装置）に、その変更を抑制しつつ、本発明のデータ通信モジュールを組込み又は接続して、ネットワーク対応のコンテンツ処理装置を作ることができ、製造を大幅に合理化できる。
【００１４】
本発明のデータ通信モジュールは、コンテンツサーバから受信したコンテンツデータをデコードし、さらに、アナログ信号へ変換して、生成した信号を外部へ出力する端子を装備し、かつ、データ通信モジュールの制御部は、外部から制御信号を受け付けて、出力端子への信号出力に関する処理を実行するので、該データ通信モジュールを組み込み又は着脱自在に装着する種々のコンテンツ処理装置（例：アンプ及びＣＤプレーヤ）に適合して、種々の働きを柔軟に実行することができる。
【発明を実施するための最良の形態】
【００１５】
図１はＤＬＮＡ対応機器を含むホームネットワーク１０の説明図である。屋内には、第１の部屋１１、第２の部屋１２及び第３の部屋１３が存在し、屋外には車庫１４が存在している。
【００１６】
第１の部屋１１には、無線アクセスポイント１８及びハブ１９が配置されるとともに、ポータブルデジタルオーディオプレーヤ２３、ノートパソコン２４、デスクトップパソコン２５、複合型チューナ２６及びＦＭチューナ２７が配備、又は持ち込まれている。ポータブルデジタルオーディオプレーヤ２３の内蔵又は着脱自在のフラッシュメモリ又はハードディスク装置には、多数の楽曲ファイルが格納されている。ノートパソコン２４及びデスクトップパソコン２５のハードディスク内には、ＷＭＡ，ＭＰ３，又はＡＡＣ規格等の楽曲ファイルが格納されている。
【００１７】
無線アクセスポイント１８及びハブ１９は、ＬＡＮケーブル３８により相互に接続されている。ポータブルデジタルオーディオプレーヤ２３及びノートパソコン２４は、無線アクセスポイント１８と無線でデータを送受する。デスクトップパソコン２５、複合型チューナ２６及びＦＭチューナ２７は、ＬＡＮケーブル３８によりハブ１９へ接続されている。
【００１８】
複合型チューナ２６は、ＦＭ等のラジオチューナの他、地上波及び衛星放送のテレビチューナも兼ねている。ハブ１９は、ルータを兼ねることができる。その場合、ホームネットワーク１０は、外部のインターネットとも接続される。
【００１９】
第２の部屋１２には、ＡＶコントロールセンター３２が配備されている。ＡＶコントロールセンター３２は、ＬＡＮケーブル３８を介してハブ１９へ接続されているとともに、所定のケーブルを介して左右のスピーカ３３及びモニター３４へ接続されている。
【００２０】
第３の部屋１３には、ＣＤプレーヤ３７が配備されている。ＣＤプレーヤ３７も、ＬＡＮケーブル３８を介して、ハブ１９へ接続されている。車庫１４には、自動車４０が出入りし、自動車４０は車載ＡＶ（Audio Visual）機器４１を装備している。自動車４０が車庫１４に駐車している期間では、車載ＡＶ機器４１は、無線で無線アクセスポイント１８へ接続状態になる。
【００２１】
図２はデータ通信モジュール５０及びそれを装備するオーディオ装置７５の構成図である。オーディオ装置７５は、例えばＡＶコントロールセンター３２やＣＤプレーヤ３７である。データ通信モジュール５０は、１枚のプリント回路基板５９上に組み付けられたＣＰＵ５１、イーサネット（登録商標：Ethernet）インターフェース５２、無線ＬＡＮインターフェース５３、ＵＳＢインターフェース５４及びデジタル／アナログ変換器５５のハードウェア素子を備えている。なお、図２において、ＬＡＮケーブル用端子６３等の各種端子が、プリント回路基板５９の複数の端縁に分布して、配置されているが、これは図示の都合上の配置であり、現実の製品では、１つの端縁に集中して配置される。
【００２２】
ＣＰＵ５１は、図示していないＲＯＭに実装されている各種プログラムを実行する。デコーダ５８も、１つのプログラムによりＣＰＵ５１において実行されるものである。ＣＰＵ５１は、上位の階層から順番に、アプリケーション層（ＡＰＰ）、ＤＬＮＡのセッション層、ＴＣＰ／ＩＰ及びスタックのトランスポート・ネットワーク層、及びドライバのデータリンク層の処理を受け持つ。
【００２３】
ＣＰＵ５１、イーサネット（登録商標）インターフェース５２、無線ＬＡＮインターフェース５３及びＵＳＢインターフェース５４は、バスで相互に接続され、該バスを介してデータを送受自在になっている。イーサネット（登録商標）インターフェース５２、無線ＬＡＮインターフェース５３及びＵＳＢインターフェース５４は、バス接続側とは反対側においてそれぞれプリント回路基板５９の端縁のＬＡＮケーブル用端子６３、アンテナ端子６４及びＵＳＢケーブル用端子６５へ接続されている。デジタル／アナログ変換器５５は、デコーダ５８から出力されるデジタル信号をアナログ信号へ変換する。アナログオーディオ信号出力端子６６及びデジタルオーディオ信号出力端子６７は、プリント回路基板５９の端縁に配設され、デジタル／アナログ変換器５５の出力側及び入力側へそれぞれ接続されている。
【００２４】
プリント回路基板５９の端縁には、さらに、制御信号端子６８及び給電端子６９が配設される。プリント回路基板５９は、車載ＡＶ機器４１のような１ＤＩＮの車載機器への装備に支障のない寸法となっており、例えば、縦×横が４０×７５ｍｍとなっていて、４０ｍｍの辺が車載ＡＶ機器４１の水平基板から直立するように、該水平基板に取り付けられる。なお、データ通信モジュール５０を無線ＬＡＮでＤＬＮＡに対応させる場合には、データ通信モジュール５０は、シールドケースに収納される。
【００２５】
オーディオ装置７５はプリント回路基板７６を装備し、データ通信モジュール５０はプリント回路基板７６に組み付けられる。プリント回路基板７６上には、マイコン７７及び電源回路７８が組み付けられている。プリント回路基板５９上のＣＰＵ５１とプリント回路基板７６上のマイコン７７とは、プリント回路基板５９の端縁の制御信号端子６８を介してデータを送受する。データ通信モジュール５０の各素子は、給電端子６９を介してプリント回路基板７６上の電源回路７８から電力を受ける。
【００２６】
制御信号端子（ポート）６８は、１つでもよいが、通常、図示のように、複数、用意される。ＣＰＵ５１が、プリント回路基板５９の外部にあってそれと信号を授受する素子は、マイコン７７のように、ＵＡＲＴやＩ2Ｃの規格に準拠したコマンドを送信する素子から、単純に、ハイとローとの２レベルの信号しか送信できないものまで、広範囲にわたる。これに対処して、ＵＡＲＴ、Ｉ2Ｃ又はハイとローとの２レベル信号等、信号の種類に応じて、該素子と接続されている制御信号端子６８及びその組合せが異なっている。したがって、ＣＰＵ５１は、通信開始時に、各制御信号端子６８の信号の状況を調べ、通信可能な制御信号端子６８へ自動切替えして、該素子との信号授受を実行する。なお、ＣＰＵ５１とマイコン７７との通信開始時とは、オーディオ装置７５の電源が投入されるごとでもよいし、製造メーカーにおいて製造出荷前の調整時の通信開始時であってもよい。
【００２７】
オーディオ装置７５は、ＬＣＤから成る表示部８３、及びユーザが操作するキー８４を備えている。マイコン７７は、キー８４からユーザ操作情報を受けるとともに、表示部８３へ表示信号を送って、所定の表示を行わせる。マイコン７７は、ネットワークデータのデコード処理をしなくて済む分、プア（低性能）なものを採用することができる。
【００２８】
ＬＡＮケーブル用端子６３は、ＬＡＮケーブル３８を介してハブ１９へ接続され、これにより、オーディオ装置７５はホームネットワーク１０へ接続される。データ通信モジュール５０は、ホームネットワーク１０へ接続に伴い、ホームネットワーク１０に接続中の全部の楽曲サーバと、各楽曲サーバがその記憶装置に保有している全部の楽曲ファイルとを認知する。
【００２９】
マイコン７７は、データ通信モジュール５０のＣＰＵ５１へコマンドを送り、ホームネットワーク１０へ接続されている楽曲サーバの情報や、各楽曲サーバの記憶装置に記録されているフォルダについての情報、さらに、各フォルダ内の楽曲ファイルの情報（例：楽曲名、アルバム名及びアーティスト名）をＣＰＵ５１から受信する。これら情報は、例えばリスト形式で表示部８３に表示される。
【００３０】
ユーザは、表示部８３の楽曲情報リスト等を見て、再生楽曲を指定し、キー８４より再生指示を出す。ユーザ指示は、所定のコマンドとしてマイコン７７からＣＰＵ５１へ送られて、ＣＰＵ５１は、対応の処理を実行する。
【００３１】
ユーザが指定した楽曲のファイルがデスクトップパソコン２５の記憶装置に記録されているものだとすると、データ通信モジュール５０は、デスクトップパソコン２５へ該当楽曲ファイルの送信要求を出し、これに対して、デスクトップパソコン２５はデータ通信モジュール５０へ該楽曲ファイルを送信する。該楽曲ファイルのデータは、デコーダ５８においてデコードされ、デジタル／アナログ変換器５５へ送られる。デジタル／アナログ変換器５５は、これをアナログ信号へ変換して、アナログオーディオ信号出力端子６６へ出力する。オーディオ装置７５は、例えば、アナログオーディオ信号出力端子６６から取り出したアナログのオーディオ信号を所定のアンプで増幅してから、スピーカ３３（オーディオ装置７５がＡＶコントロールセンター３２である場合）より音にして流す。
【００３２】
マイコン７７は、ＣＰＵ５１に用意されているコマンドを使って、再生指示以外に、キー８４からのユーザの各種の指示、例えば、再生停止、再生一時休止、高速再生（早送り）、戻し、再生楽曲を現在のものから別のものにする切替え等、種々の指示をＣＰＵ５１へ出すことができる。ＣＰＵ５１は、受け付けたコマンドに対応する処理を実行する。実行する処理には、アナログオーディオ信号出力端子６６への信号出力に係るあらゆるデータ処理を含む。ＣＰＵ５１からマイコン７７への前述のリスト情報のように、アナログオーディオ信号出力端子６６ではなく、制御信号端子６８へのデータ送信処理も、アナログオーディオ信号出力端子６６への信号出力に係るデータ処理の１つである。
【００３３】
ＵＳＢケーブル用端子６５には、ＵＳＢケーブル９０を介してＵＳＢ対応機器を接続することができる。例えば、ＵＳＢ対応のハードディスク装置８９がＵＳＢケーブル９０を介してＵＳＢケーブル用端子６５へ接続されたとする。また、デスクトップパソコン２５の記憶装置に楽曲Ａ，Ｂがあるとする。データ通信モジュール５０は、キー８４からのユーザ指示に基づき、デスクトップパソコン２５の楽曲Ａをハードディスク装置８９に、移動したり、著作権に違反しない範囲で、コピーしたりすることができる。
【００３４】
さらに、ＣＰＵ５１は、並列処理可能なものであるので、楽曲Ａについてそのアナログオーディオ信号をアナログオーディオ信号出力端子６６から出力するのに並行して、楽曲Ｂをハードディスク装置８９に移動又はコピーすることができる。
【００３５】
図２のオーディオ装置７５では、データ通信モジュール５０はオーディオ装置７５のプリント回路基板７６に組み付けられるようになっているが、オーディオ装置７５に、筐体の外からデータ通信モジュール５０を着脱自在とする結合部を装備して、データ通信モジュール５０は該結合部に着脱自在に装着するようになっていてもよい。その場合、オーディオ装置７５は、データ通信モジュール５０の非装着時では、オーディオ装置７５自身、又は外部の楽曲ソースから楽曲のみを再生することになる。なお、オーディオ装置７５自身の楽曲ソースとは、オーディオ装置７５がＣＤプレーヤ３７である場合、ＣＤである。
【００３６】
オーディオ装置７５は、データ通信モジュール５０を装着されない場合には、自機内又は自機外の別のソースからのオーディオ信号をスピーカから流すことができるものとして、説明したが、オーディオ装置７５は、データ通信モジュール５０のアナログオーディオ信号出力端子６６からのオーディオ信号だけをイヤホン端子又はスピーカへ流すだけのネットワーク楽曲再生専用のオーディオ装置であってもよいとする。
【００３７】
データ通信モジュール５０は、マイコンを装備しないオーディオ装置に組み込むこともできる。またその場合に、それが搭載されるオーディオ装置７５に柔軟に対処して、種々のオーディオ処理を実施する。例えば、オーディオ装置７５がアンプ装置である場合には、データ通信モジュール５０は、アンプ装置の入力セレクタのハイ、ローの制御信号により、オーディオ再生信号をアナログオーディオ信号出力端子６６から出力するかしないかの処理となる。また、例えば、オーディオ装置７５がＣＤプレーヤである場合には、データ通信モジュール５０は、ＣＤプレーヤのマイコン７７からのコマンドにより再生、再生一時停止、スキップ及び早送り等で、オーディオ再生信号をアナログオーディオ信号出力端子６６から出力する。なお、ＣＤプレーヤに搭載される場合においては、上記した以外に種々のバリエーションが適用可能である。例えば、ＣＤの有無の検出信号のハイ、ローの制御信号により、オーディオ再生信号をアナログオーディオ信号出力端子６６から出力するかしないかの処理としてもよい。また、ＣＤプレーヤのマイコンがＣＤの有無を検出し、ＣＤが挿入されたときは、ＣＤプレーヤ内のＣＤメカ部にコマンドを送り、ＣＤが挿入されていないときには、ＣＤプレーヤのマイコンからのコマンドをデータ通信モジュールに送るようにしてもよい。
【００３８】
オーディオ装置７５は、アナログオーディオ信号出力端子６６ではなく、デジタルオーディオ信号出力端子６７からのデジタル信号を処理するようになっていてもよい。データ通信モジュール５０は、楽曲ファイルのデータをデコードする旨、説明したが、ＣＰＵ５１には、オーディオ用のデコーダ５８と共に、映像用のデコーダも実装してもよい。すなわち本発明のデータ通信モジュールは、オーディオのコンテンツに限定されず、映像のコンテンツを処理するものであってもよい。
【００３９】
本明細書は種々の発明を含んでいる。本明細書が開示した発明は、発明の最良の形態等として説明した各種形態において、一部の要素のみを組合せたり、一部の要素を自明の範囲で変更したり、各種形態間で自明の範囲で一部構成要素を置き換えたりするものを含む。
【図面の簡単な説明】
【００４０】
【図１】ＤＬＮＡ対応機器を含むホームネットワーク１０の説明図である。
【図２】データ通信モジュール及びそれを装備するオーディオ装置の構成図である。
【符号の説明】
【００４１】
５０：データ通信モジュール、５１：ＣＰＵ、５２：イーサネット（登録商標）インターフェース、５３：無線ＬＡＮインターフェース、５４：ＵＳＢインターフェース、５５：デジタル／アナログ変換器、５８：デコーダ、５９：プリント回路基板、６３：ＬＡＮケーブル用端子、６５：ＵＳＢケーブル用端子、６６：アナログオーディオ信号出力端子、６７：デジタルオーディオ信号出力端子、６９：制御信号端子、７５：オーディオ装置、７６：プリント回路基板、７７：マイコン。
【図１】
2008245221.tif 000003
【図２】
2008245221.tif 000004